(57)【要約】【課題】  この発明は、親テレビまたは子テレビのいずれか一方に優先権を与えることができ、優先権が与えられていない方に対する選局指示に伴って、優先権が与えられている方の視聴番組が変更されないようにすることができるテレビシステムを提供することを目的とする。【解決手段】  子テレビから送られてきたチャンネルと親テレビの現在の視聴チャンネルとが、互いに異なるチャンネルであるという第２条件を満たしているか否かを判別する手段、第２条件を満たしている場合には、優先権データに基づいて子テレビに優先権があるか否かを判別する手段、子テレビに優先権がある場合には、子テレビから送られてきたチャンネルにチャンネル変更を行い、親テレビに優先権がある場合には、子テレビから送られてきたチャンネルへのチャンネル変更を実行することなく、現在の状態を維持させる手段を備えている。【選択図】  図１
2005136864.tif 000002
【特許請求の範囲】
【請求項１】
親テレビと子テレビとを備え、親テレビは、１つのチューナ、１つのチューナによって受信された受信信号から１つのチャンネルの受信信号を選択し、選択した１つのチャンネルの受信信号を親テレビで放映するとともに子テレビにワイヤレス送信させる手段を備えており、子テレビは、親テレビからワイヤレス送信された受信信号を受信して、子テレビで放映させる手段を備えているテレビシステムにおいて、
子テレビは、子テレビ側で視聴したいチャンネルを指定させる子テレビ用チャンネル指定手段および指定されたチャンネルを親テレビにワイヤレス送信する手段を備えており、親テレビは、親テレビ側で視聴したいチャンネルを指定させる親テレビ用チャンネル指定手段、親ＴＶおよび子テレビのいずれのチャンネル指定を優先させるかを示す優先権データを設定させるための手段、設定された優先権データを保持する記憶手段、親テレビ用チャンネル指定手段によってチャンネルが指定されたときに第１の制御処理を行う第１の制御処理手段ならびに子テレビ用チャンネル指定手段によって指定されたチャンネルが子テレビから送られてきたときに第２の制御処理を行う第２の処理手段を備えており、
第１の制御処理手段は、親テレビ用チャンネル指定手段によって指定されたチャンネルと子テレビの現在の視聴チャンネルとが、互いに異なるチャンネルであるという第１条件を満たしているか否かを判別する手段、第１条件を満たしてない場合には、親テレビ用チャンネル指定手段によって指定されたチャンネルにチャンネル変更を行う手段、第１条件を満たしている場合には、優先権データに基づいて親テレビに優先権があるか否かを判別する手段、および親テレビに優先権がある場合には、親テレビ用チャンネル指定手段によって指定されたチャンネルにチャンネル変更を行い、子テレビに優先権がある場合には、親テレビ用チャンネル指定手段によって指定されたチャンネルへのチャンネル変更を実行することなく、現在の状態を維持させる手段を備えており、
第２の制御処理手段は、子テレビから送られてきたチャンネルと親テレビの現在の視聴チャンネルとが、互いに異なるチャンネルであるという第２条件を満たしているか否かを判別する手段、第２条件を満たしていない場合には、子テレビから送られてきたチャンネルにチャンネル変更を行う手段、第２条件を満たしている場合には、優先権データに基づいて子テレビに優先権があるか否かを判別する手段、および子テレビに優先権がある場合には、子テレビから送られてきたチャンネルにチャンネル変更を行い、親テレビに優先権がある場合には、子テレビから送られてきたチャンネルへのチャンネル変更を実行することなく、現在の状態を維持させる手段を備えていることを特徴とするテレビシステム。
【請求項２】
第１の制御処理手段は、第１条件を満たしておりかつ親テレビに優先権がある場合には、子テレビに視聴チャンネルが変更されることを表示させるために、子テレビに視聴チャンネルが変更されることを通知する手段、ならびに第１条件を満たしているが子テレビに優先権がある場合には、親テレビにチャンネル変更ができない旨を表示させる手段をさらに備えており、
第２の制御処理手段は、第２条件を満たしておりかつ子テレビに優先権がある場合には、親テレビに視聴チャンネルが変更されることを表示させる手段、ならびに第２条件を満たしているが親テレビに優先権がある場合には、子テレビにチャンネル変更ができない旨を表示させるために、子テレビにチャンネル変更ができないことを通知する手段をさらに備えていることを特徴とする請求項１に記載のテレビシステム。
【請求項３】
親テレビと子テレビとを備え、親テレビは、複数のチューナ、複数のチューナによって受信された受信信号から親テレビ放映用の受信信号を選択して親テレビで放映するとともに、子テレビ放映用の受信信号を選択して、子テレビにワイヤレス送信させる手段を備えており、子テレビは、親テレビからワイヤレス送信された子テレビ放映用の受信信号を受信して、子テレビで放映させる手段を備えているテレビシステムにおいて、
子テレビは、子テレビ側で視聴したいチャンネルを指定させる子テレビ用チャンネル指定手段および指定されたチャンネルを親テレビにワイヤレス送信する手段を備えており、親テレビは、親テレビ側で視聴したいチャンネルを指定させる親テレビ用チャンネル指定手段、親ＴＶおよび子テレビのいずれのチャンネル指定を優先させるかを示す優先権データを設定させるための手段、設定された優先権データを保持する記憶手段、親テレビ用チャンネル指定手段によってチャンネルが指定されたときに第１の制御処理を行う第１の制御処理手段ならびに子テレビ用チャンネル指定手段によって指定されたチャンネルが子テレビから送られてきたときに第２の制御処理を行う第２の処理手段を備えており、
第１の制御処理手段は、親テレビ用チャンネル指定手段によって指定されたチャンネルと子テレビの現在の視聴チャンネルとが、同一チューナで受信されるチャンネル内の互いに異なるチャンネルであるという第１条件を満たしているか否かを判別する手段、第１条件を満たしていない場合には、親テレビ用チャンネル指定手段によって指定されたチャンネルにチャンネル変更を行い、そのチャンネル変更によって得られた受信信号を親テレビ放映用の受信信号として選択する手段、第１条件を満たしている場合には、優先権データに基づいて親テレビに優先権があるか否かを判別する手段、および親テレビに優先権がある場合には、親テレビ用チャンネル指定手段によって指定されたチャンネルにチャンネル変更を行い、そのチャンネル変更によって得られた受信信号を親テレビ放映用および子テレビ放映用の受信信号として選択し、子テレビに優先権がある場合には、親テレビ用チャンネル指定手段によって指定されたチャンネルへのチャンネル変更を実行することなく、現在の状態を維持させる手段を備えており、
第２の制御処理手段は、子テレビから送られてきたチャンネルと親テレビの現在の視聴チャンネルとが、同一チューナで受信されるチャンネル内の互いに異なるチャンネルであるという第２条件を満たしているか否かを判別する手段、第２条件を満たしていない場合には、子テレビから送られてきたチャンネルにチャンネル変更を行い、そのチャンネル変更によって得られた受信信号を子テレビ放映用の受信信号として選択する手段、第２条件を満たしている場合には、優先権データに基づいて子テレビに優先権があるか否かを判別する手段、子テレビに優先権がある場合には、子テレビから送られてきたチャンネルにチャンネル変更を行い、そのチャンネル変更によって得られた受信信号を親テレビ放映用および子テレビ放映用の受信信号として選択し、親テレビに優先権がある場合には、子テレビから送られてきたチャンネルへのチャンネル変更を実行することなく、現在の状態を維持させる手段を備えていることを特徴とするテレビシステム。
【請求項４】
第１の制御処理手段は、第１条件を満たしておりかつ親テレビに優先権がある場合には、子テレビに視聴チャンネルが変更されることを表示させるために、子テレビに視聴チャンネルが変更されることを通知する手段、ならびに第１条件を満たしているが子テレビに優先権がある場合には、親テレビにチャンネル変更ができない旨を表示させる手段をさらに備えており、
第２の制御処理手段は、第２条件を満たしておりかつ子テレビに優先権がある場合には、親テレビに視聴チャンネルが変更されることを表示させる手段、ならびに第２条件を満たしているが親テレビに優先権がある場合には、子テレビにチャンネル変更ができない旨を表示させるために、子テレビにチャンネル変更ができないことを通知する手段をさらに備えていることを特徴とする請求項３に記載のテレビシステム。
【発明の詳細な説明】
【技術分野】
【０００１】
この発明は、親テレビによって受信される番組を、子テレビで視聴できるテレビシステムに関する。
【背景技術】
【０００２】
複数のチューナを有する親テレビ（親ＴＶ）と、親ＴＶとワイヤレス通信が可能な子テレビ（子ＴＶ）とからなり、親ＴＶによって受信される番組を、子ＴＶで視聴できるテレビシステムが既に開発されている（例えば、特願２００２−０４４９８８号参照）。
【０００３】
このようなテレビシステムでは、子ＴＶ側に選局指示が入力されると、その選局指示は、親ＴＶに送信され、親ＴＶはその選局指示に応じたチャンネルを選局し、そのチャンネルの映像・音声データを子ＴＶに送信している。
【０００４】
親ＴＶ側においてあるチューナ（第１のチューナ）で受信している番組を視聴している場合に、子ＴＶ側から異なるチューナ（第２のチューナ）で受信している番組を選択するための選局指示が送られてきた場合には、親ＴＶは第２のチューナに対してその選局指示に応じた選局動作を行い、その選局指示に応じたチャンネルの映像・音声データを子ＴＶに送信する。このため、親ＴＶ側での視聴番組は変更されない。
【０００５】
一方、親ＴＶ側においてあるチューナ（第１のチューナ）で受信している番組の中の１つの番組を視聴している場合に、子ＴＶ側から同じチューナ（第１のチューナ）で受信している番組の中の異なる番組を選択するための選局指示が送られてきた場合には、親ＴＶは第１のチューナに対してその選局指示に応じた選局動作を行い、その選局指示に応じたチャンネルの映像・音声データを子ＴＶに送信する。この場合には、子ＴＶ側の選局指示に伴って、親ＴＶ側での視聴番組も子ＴＶ側で選局指示されたチャンネルの番組に変更されてしまい、親ＴＶを視聴している視聴者に迷惑がかかるおそれがある。
【０００６】
子ＴＶ側においてあるチューナ（第１のチューナ）で受信している番組の中の１つの番組を視聴している場合に、親ＴＶ側において同じチューナ（第１のチューナ）で受信している番組の中の異なる番組を選択するための選局指示が入力された場合にも、同様なことが起こる。つまり、親ＴＶ側の選局指示に伴って、子ＴＶ側の視聴番組も変更されてしまい、子ＴＶを視聴している視聴者に迷惑がかかるおそれがある。
【特許文献１】特願２００２−０４４９８８号
【発明の開示】
【発明が解決しようとする課題】
【０００７】
この発明は、親テレビまたは子テレビのいずれか一方に優先権を与えることができ、優先権が与えられていない方に対する選局指示に伴って、優先権が与えられている方の視聴番組が変更されないようにすることができるテレビシステムを提供することを目的とする。
【課題を解決するための手段】
【０００８】
請求項１に記載の発明は、親テレビと子テレビとを備え、親テレビは、１つのチューナ、１つのチューナによって受信された受信信号から１つのチャンネルの受信信号を選択し、選択した１つのチャンネルの受信信号を親テレビで放映するとともに子テレビにワイヤレス送信させる手段を備えており、子テレビは、親テレビからワイヤレス送信された受信信号を受信して、子テレビで放映させる手段を備えているテレビシステムにおいて、子テレビは、子テレビ側で視聴したいチャンネルを指定させる子テレビ用チャンネル指定手段および指定されたチャンネルを親テレビにワイヤレス送信する手段を備えており、親テレビは、親テレビ側で視聴したいチャンネルを指定させる親テレビ用チャンネル指定手段、親ＴＶおよび子テレビのいずれのチャンネル指定を優先させるかを示す優先権データを設定させるための手段、設定された優先権データを保持する記憶手段、親テレビ用チャンネル指定手段によってチャンネルが指定されたときに第１の制御処理を行う第１の制御処理手段ならびに子テレビ用チャンネル指定手段によって指定されたチャンネルが子テレビから送られてきたときに第２の制御処理を行う第２の処理手段を備えており、第１の制御処理手段は、親テレビ用チャンネル指定手段によって指定されたチャンネルと子テレビの現在の視聴チャンネルとが、互いに異なるチャンネルであるという第１条件を満たしているか否かを判別する手段、第１条件を満たしてない場合には、親テレビ用チャンネル指定手段によって指定されたチャンネルにチャンネル変更を行う手段、第１条件を満たしている場合には、優先権データに基づいて親テレビに優先権があるか否かを判別する手段、および親テレビに優先権がある場合には、親テレビ用チャンネル指定手段によって指定されたチャンネルにチャンネル変更を行い、子テレビに優先権がある場合には、親テレビ用チャンネル指定手段によって指定されたチャンネルへのチャンネル変更を実行することなく、現在の状態を維持させる手段を備えており、第２の制御処理手段は、子テレビから送られてきたチャンネルと親テレビの現在の視聴チャンネルとが、互いに異なるチャンネルであるという第２条件を満たしているか否かを判別する手段、第２条件を満たしていない場合には、子テレビから送られてきたチャンネルにチャンネル変更を行う手段、第２条件を満たしている場合には、優先権データに基づいて子テレビに優先権があるか否かを判別する手段、および子テレビに優先権がある場合には、子テレビから送られてきたチャンネルにチャンネル変更を行い、親テレビに優先権がある場合には、子テレビから送られてきたチャンネルへのチャンネル変更を実行することなく、現在の状態を維持させる手段を備えていることを特徴とする。
【０００９】
請求項２に記載の発明は、請求項１に記載の発明において、第１の制御処理手段は、第１条件を満たしておりかつ親テレビに優先権がある場合には、子テレビに視聴チャンネルが変更されることを表示させるために、子テレビに視聴チャンネルが変更されることを通知する手段、ならびに第１条件を満たしているが子テレビに優先権がある場合には、親テレビにチャンネル変更ができない旨を表示させる手段をさらに備えており、第２の制御処理手段は、第２条件を満たしておりかつ子テレビに優先権がある場合には、親テレビに視聴チャンネルが変更されることを表示させる手段、ならびに第２条件を満たしているが親テレビに優先権がある場合には、子テレビにチャンネル変更ができない旨を表示させるために、子テレビにチャンネル変更ができないことを通知する手段をさらに備えていることを特徴とする。
【００１０】
請求項３に記載の発明は、親テレビと子テレビとを備え、親テレビは、複数のチューナ、複数のチューナによって受信された受信信号から親テレビ放映用の受信信号を選択して親テレビで放映するとともに、子テレビ放映用の受信信号を選択して、子テレビにワイヤレス送信させる手段を備えており、子テレビは、親テレビからワイヤレス送信された子テレビ放映用の受信信号を受信して、子テレビで放映させる手段を備えているテレビシステムにおいて、子テレビは、子テレビ側で視聴したいチャンネルを指定させる子テレビ用チャンネル指定手段および指定されたチャンネルを親テレビにワイヤレス送信する手段を備えており、親テレビは、親テレビ側で視聴したいチャンネルを指定させる親テレビ用チャンネル指定手段、親ＴＶおよび子テレビのいずれのチャンネル指定を優先させるかを示す優先権データを設定させるための手段、設定された優先権データを保持する記憶手段、親テレビ用チャンネル指定手段によってチャンネルが指定されたときに第１の制御処理を行う第１の制御処理手段ならびに子テレビ用チャンネル指定手段によって指定されたチャンネルが子テレビから送られてきたときに第２の制御処理を行う第２の処理手段を備えており、第１の制御処理手段は、親テレビ用チャンネル指定手段によって指定されたチャンネルと子テレビの現在の視聴チャンネルとが、同一チューナで受信されるチャンネル内の互いに異なるチャンネルであるという第１条件を満たしているか否かを判別する手段、第１条件を満たしていない場合には、親テレビ用チャンネル指定手段によって指定されたチャンネルにチャンネル変更を行い、そのチャンネル変更によって得られた受信信号を親テレビ放映用の受信信号として選択する手段、第１条件を満たしている場合には、優先権データに基づいて親テレビに優先権があるか否かを判別する手段、および親テレビに優先権がある場合には、親テレビ用チャンネル指定手段によって指定されたチャンネルにチャンネル変更を行い、そのチャンネル変更によって得られた受信信号を親テレビ放映用および子テレビ放映用の受信信号として選択し、子テレビに優先権がある場合には、親テレビ用チャンネル指定手段によって指定されたチャンネルへのチャンネル変更を実行することなく、現在の状態を維持させる手段を備えており、第２の制御処理手段は、子テレビから送られてきたチャンネルと親テレビの現在の視聴チャンネルとが、同一チューナで受信されるチャンネル内の互いに異なるチャンネルであるという第２条件を満たしているか否かを判別する手段、第２条件を満たしていない場合には、子テレビから送られてきたチャンネルにチャンネル変更を行い、そのチャンネル変更によって得られた受信信号を子テレビ放映用の受信信号として選択する手段、第２条件を満たしている場合には、優先権データに基づいて子テレビに優先権があるか否かを判別する手段、子テレビに優先権がある場合には、子テレビから送られてきたチャンネルにチャンネル変更を行い、そのチャンネル変更によって得られた受信信号を親テレビ放映用および子テレビ放映用の受信信号として選択し、親テレビに優先権がある場合には、子テレビから送られてきたチャンネルへのチャンネル変更を実行することなく、現在の状態を維持させる手段を備えていることを特徴とする。
【００１１】
請求項４に記載の発明は、請求項３に記載の発明において、第１の制御処理手段は、第１条件を満たしておりかつ親テレビに優先権がある場合には、子テレビに視聴チャンネルが変更されることを表示させるために、子テレビに視聴チャンネルが変更されることを通知する手段、ならびに第１条件を満たしているが子テレビに優先権がある場合には、親テレビにチャンネル変更ができない旨を表示させる手段をさらに備えており、第２の制御処理手段は、第２条件を満たしておりかつ子テレビに優先権がある場合には、親テレビに視聴チャンネルが変更されることを表示させる手段、ならびに第２条件を満たしているが親テレビに優先権がある場合には、子テレビにチャンネル変更ができない旨を表示させるために、子テレビにチャンネル変更ができないことを通知する手段をさらに備えていることを特徴とする。
【発明の効果】
【００１２】
この発明によれば、親テレビまたは子テレビのいずれか一方に優先権を与えることができ、優先権が与えられていない方に対する選局指示に伴って、優先権が与えられている方の視聴番組が変更されないようにすることができるようになる。
【発明を実施するための最良の形態】
【００１３】
以下、図面を参照して、この発明の実施の形態について説明する。
【実施例】
【００１４】
テレビシステムは、親テレビ（親ＴＶ）と、子テレビ（子ＴＶ）とを備えている。
【００１５】
図１は、親ＴＶの構成を示している。
【００１６】
親ＴＶは、この例では、デジタルＢＳ／ＣＳチューナ１０３、デジタル地上波チューナ１０４、アナログ地上波チューナ１０５の３種類のチューナを有している。
【００１７】
デジタルＢＳ／ＣＳチューナ１０３には、ＢＳ／ＣＳ受信アンテナ１０１が接続されている。デジタル地上波チューナ１０４およびアナログ地上波チューナ１０５には、地上波受信アンテナ１０２が接続されている。
【００１８】
アンテナ１０１で受信されたデジタルＢＳ／ＣＳ放送信号は、デジタルＢＳ／ＣＳチューナ１０３に送られる。デジタルＢＳ／ＣＳチューナ１０３から出力されたＴＳ信号は、マトリクススイッチ１１０に入力される。
【００１９】
アンテナ１０２で受信されたデジタル地上波放送信号は、デジタル地上波チューナ１０４とアナログ地上波チューナ１０５とに分配される。デジタル地上波チューナ１０４から出力されるデジタルのＡＶストリーム信号は、マトリクススイッチ１１０に入力される。      
【００２０】
アナログ地上波チューナ１０５から出力されるＮＴＳＣビデオ信号は、Ａ／Ｄ変換器１０６によってデジタル化された後、ＮＴＳＣビデオデコーダ１０７に入力される。ＮＴＳＣビデオデコーダ１０７は、ＮＴＳＣビデオ信号をデコードして、デジタルの輝度信号Ｙおよび色信号Ｃｂ，Ｃｒを生成する。ＮＴＳＣビデオデコーダ１０７から出力される輝度信号Ｙおよび色信号Ｃｂ，Ｃｒは、ＭＰＥＧビデオエンコーダ１０８に入力され、帯域圧縮（エンコード）処理される。
【００２１】
一方、アナログ地上波チューナ１０５から出力されるオーディオ信号は、Ａ／Ｄ変換器１１１によってデジタル化される。Ａ／Ｄ変換器１１１から出力されるオーディオ信号は、ＭＰＥＧオーディオエンコーダ１１２に入力され、帯域圧縮（エンコード）処理される。
【００２２】
ＮＴＳＣビデオデコーダ１０７によってエンコードされたビデオ信号およびＭＰＥＧオーディオエンコーダ１１２によってエンコードされたオーディオ信号は、ＭＵＸ回路１０９によって多重化されることによってＴＳ信号に変換され、マトリクススイッチ１１０に入力される。
【００２３】
マトリクススイッチ１１０は、それに入力する３系統のＴＳ信号のうちから、親ＴＶで放映するための番組を含む１系統のＴＳ信号を選択してＤＥＭＵＸ回路１１３に送るとともに、子ＴＶで放映するための番組を含む１系統のＴＳ信号を選択して通信制御部１２４に送る。なお、マトリクススイッチ１１０は、制御部１２７によって制御される。
【００２４】
ＤＥＭＵＸ１１３は、マトリクススイッチ１１０から送られてきたＴＳ信号をビデオ信号とオーディオ信号とに分離する。ＤＥＭＵＸ１１３によって得られたビデオ信号は、ＭＰＥＧビデオデコーダ１１４に送られる。ＭＰＥＧビデオデコーダ１１４は、ビデオ信号をデコードして、輝度信号Ｙおよび色信号Ｃｂ，Ｃｒを生成する。ＭＰＥＧビデオデコーダ１１４によって生成された輝度信号Ｙおよび色信号Ｃｂ，Ｃｒは、マトリクス回路１１５によってＲＧＢ信号に変換された後、切換スイッチ１１６に入力される。
【００２５】
Ａ／Ｄ変換器１０６から出力されるデジタルのＮＴＳＣ信号はマトリクス回路１１７にも送られている。マトリクス回路１１７は、ＮＴＳＣ信号をＲＧＢ信号に変換する。マトリクス回路１１７によって得られたＲＧＢ信号は、切換スイッチ１１６に入力する。切換スイッチ１１６は、両マトリクス回路１１５，１１７からそれぞれ入力するＲＧＢ信号のうちの一方をアナログビデオ信号として選択して出力する。切換スイッチ１１６から出力されるアナログビデオ信号は、親ＴＶのディスプレイ１１９に送られて表示される。
【００２６】
ＤＥＭＵＸ１１３によって得られたオーディオ信号は、ＭＰＥＧオーディオデコーダ１２０によってデコードされた後、Ｄ／Ａ変換器１２１に送られてアナログ信号に変換される。Ｄ／Ａ変換器１２１から出力されるオーディオ信号は、切換スイッチ１２２に入力される。切換スイッチ１２２には、アナログ地上波チューナ１０５から出力されたオーディオ信号も入力される。切換スイッチ１２２は、Ｄ／Ａ変換器１２１およびアナログ地上波チューナ１０５からそれぞれ入力するオーディオ信号のうちの一方を選択して出力する。切換スイッチ１２２から出力されるオーディオ信号は、スピーカ１２３に送られて出力される。
【００２７】
切換スイッチ１１６，１２２は、制御部１２７によって制御される。つまり、切換スイッチ１１６，１２２は、親ＴＶがアナログ地上波チューナ１０５によって受信された番組を放映する場合には、切換スイッチ１１６がマトリクス回路１１７から出力されるビデオ信号を選択し、切換スイッチ１２２がアナログ地上波チューナ１０５から出力されるオーディオ信号を選択するように制御される。また、親ＴＶが他のチューナ１０３，１０４によって受信された番組を放映する場合には、切換スイッチ１１６がマトリクス回路１１５から出力されるビデオ信号を選択し、切換スイッチ１２２がＤ／Ａ変換器１２１から出力されるオーディオ信号を選択するように制御される。
【００２８】
このように切換スイッチ１１６，１２２を制御することによって、アナログ地上波放送信号をエンコード、デコードすることによる画質や音質の劣化を防いでいる。
【００２９】
通信制御部１２４は、マトリクススイッチ１１０から送られてきたＴＳ信号を無線部１２５およびアンテナ１２６を介して子ＴＶに送信する。なお、通信制御部１２４、無線部１２５およびアンテナ１２６は、子ＴＶと双方向通信を行うためのワイヤレス通信部を構成している。
【００３０】
制御部１２７は、マトリクススイッチ１１０、切換スイッチ１１６，１２２を制御する他、操作キー１２８やリモコン１２９からのチャンネル選択コマンドにより、該当する放送信号のチューナの選局をしたり、受信コントロール、親ＴＶの各部をコントロールする。また、制御部１２７は、使用していないチューナを、節電のため、待機状態にさせる。      
【００３１】
また、制御部１２７は、通信制御部１２４とコマンドをやりとりし、ワイヤレス通信部を制御する。後述するように、制御部１２７には、子ＴＶからワイヤレス通信部を介して子ＴＶのためのチャンネル選局などの制御信号が送られてくる。
【００３２】
また、制御部１２７は、メモリ１３１を備えている。メモリ１３１には、親ＴＶの指定チャンネルと子ＴＶの指定チャンネルとが同一チューナで受信されるチャンネルであってかつ互いに異なるチャンネルである場合に、親ＴＶおよび子ＴＶのいずれの指定を優先させるかを示す優先権データが登録されている。優先権データは、ユーザによって予め設定される。
【００３３】
制御部１２７は、デジタル放送の視聴履歴等を管理会社に通知するために、モデム１３０を介して電話回線に接続されている。
【００３４】
図２は、子ＴＶの構成を示している。
子ＴＶは、親ＴＶと通信するワイヤレス通信部を備えている。ワイヤレス通信部は、アンテナ２０１、無線部２０２、通信制御部２０３から構成されている。
【００３５】
通信制御部２０３は、制御部２０４との通信を行い、操作キー２０５、リモコン２０６からの指示に基づくコマンドを双方向で通信する。
【００３６】
親ＴＶからのＴＳ信号をワイヤレス通信部によって受信した場合には、受信したＴＳ信号はＤＥＭＵＸ２０７に送られ、ビデオ信号とオーディオ信号とに分離される。ＤＥＭＵＸ２０７によって得られたビデオ信号は、ＭＰＥＧビデオデコーダ２０８に送られる。ＭＰＥＧビデオデコーダ２０８は、ビデオ信号をデコードして、輝度信号Ｙおよび色信号Ｃｂ，Ｃｒを生成する。ＭＰＥＧビデオデコーダ２０８によって生成された輝度信号Ｙおよび色信号Ｃｂ，Ｃｒは、マトリクス回路２０９によってＲＧＢ信号に変換された後、Ｄ／Ａ変換器２１０を介してディスプレイ２１１に送られて表示される。
【００３７】
ＤＥＭＵＸ２０７によって得られたオーディオ信号は、ＭＰＥＧオーディオデコーダ２１２によってデコードされた後、Ｄ／Ａ変換器２１３を介してスピーカ２１４に送られて出力される。
【００３８】
なお、子ＴＶの視聴者は、操作キー２０５またはリモコン２０６を操作することによって、子ＴＶのためのチャンネル選局指示を入力することができる。チャンネル選局指示が入力された場合には、制御部２０４は、その指示に応じたコマンドを親ＴＶに送信する。  この例では、子ＴＶの電源ケーブルもなくし可動性を高めるために、子ＴＶの電源は、電池部２１５によって供給される。但し、ＡＣアダプタなどより、電源を供給するようにしてもよい。
【００３９】
図３は、親ＴＶの制御部１２７による処理手順を示している。
親ＴＶの電源がＯＮされると（ステップ１）、親ＴＶのメモリチューナチャンネル（前回の電源ＯＦＦ直前に選局されていたチャンネルであって、前回の電源ＯＦＦ時に不揮発性メモリに格納されたチューナチャンネル）が選局されるような制御を行う（ステップ２）。したがって、前回の電源ＯＦＦ直前に選局されていたチャンネルが選局されて、提示される。
【００４０】
親ＴＶ側の操作キー１２８またはリモコン１２９の操作によって、親ＴＶのためのチャンネル変更要求が入力されたか否かを判別する（ステップ３）。親ＴＶのためのチャンネル変更要求が入力されていない場合には、子ＴＶからチャンネル変更要求またはチャンネル配信要求が送られてきたか否かを判別する（ステップ１０）。子ＴＶからチャンネル変更要求およびチャンネル配信要求のいずれも送られてきていない場合には、親ＴＶに対する電源ＯＦＦ指令が入力されたか否かを判別する（ステップ１７）。親ＴＶに対する電源ＯＦＦ指令が入力されていないときには、ステップ３に戻る。ステップ１７において、親ＴＶに対する電源ＯＦＦ指令が入力されたと判別した場合には、親ＴＶの電源をＯＦＦする（ステップ１８）。そして、今回の処理を終了する。
【００４１】
上記ステップ３において、親ＴＶのためのチャンネル変更要求が入力されたと判別した場合には、親ＴＶから子ＴＶに番組を配信中か否かを判別する（ステップ４）。親ＴＶから子ＴＶに番組を配信中でない場合には、ステップ９に移行し、親ＴＶの視聴チャンネルをチャンネル変更要求によって示されるチャンネルに変更する。親ＴＶから子ＴＶに番組を配信中である場合には、ステップ３の親ＴＶに対するチャンネル変更要求によって指定されたチャンネルと子ＴＶの視聴チャンネルとが、同一チューナで受信されたチャンネル内の互いに異なるチャンネルであるか否かを判別する（ステップ５）。
【００４２】
親ＴＶに対するチャンネル変更要求によって指定されたチャンネルと子ＴＶの視聴チャンネルとが、同一チューナで受信されたチャンネル内の互いに異なるチャンネルでない場合、つまり、両チャンネルが異なるチューナによって受信されるチャンネルであるかまたは両チャンネルが同一チューナで受信されたチャンネル内の同一チャンネルである場合には、ステップ９に移行し、親ＴＶの視聴チャンネルをチャンネル変更要求によって示されるチャンネルに変更する。親ＴＶに対するチャンネル変更要求によって指定されたチャンネルと子ＴＶの視聴チャンネルとが、同一チューナで受信されたチャンネル内の互いに異なるチャンネルである場合には、メモリ１３１に格納されている優先権データに基づいて、親ＴＶに優先権があるか否かを判別する（ステップ６）。
【００４３】
親ＴＶに優先権がある場合には、親ＴＶの視聴チャンネルの変更に伴って子ＴＶの視聴チャンネルも変更されてしまうので、親ＴＶから子ＴＶに子ＴＶの視聴チャンネルが変更されることを通知した後（ステップ７）、ステップ９に移行し、親ＴＶの視聴チャンネルをチャンネル変更要求によって示されるチャンネルに変更する。親ＴＶに優先権がない場合、つまり子ＴＶに優先権がある場合には、親ＴＶにチャンネル変更不可メッセージを表示した後（ステップ８）、ステップ１７に移行する。この場合には、親ＴＶの視聴チャンネルは変更されない。チャンネル変更不可メッセージとしては、たとえば、”子ＴＶに優先権があるためチャンネル変更できません”というメッセージが用いられる。
【００４４】
ステップ９でチャンネル変更が行われると、親ＴＶに対する電源ＯＦＦ指令が入力されたか否かを判別する（ステップ１７）。そして、親ＴＶに対する電源ＯＦＦ指令が入力されていないときには、ステップ３に戻る。
【００４５】
上記ステップ１０において、子ＴＶからチャンネル変更要求またはチャンネル配信要求が送られてきたと判別した場合には、現在の親ＴＶの視聴チャンネルと子ＴＶからの指定チャンネルとが、同一チューナで受信されるチャンネル内の互いに異なるチャンネルであるか否かを判別する（ステップ１１）。
【００４６】
現在の親ＴＶの視聴チャンネルと子ＴＶからの指示チャンネルとが、同一チューナで受信されるチャンネル内の互いに異なるチャンネルである場合には、親ＴＶに優先権があるか否かを判別する（ステップ１３）。親ＴＶに優先権がある場合には、親ＴＶから子ＴＶにチャンネル変更不可通知を行った後（ステップ１４）、ステップ１７に移行する。この場合には、親ＴＶ側において、子ＴＶのためのチャンネル変更は行われない。
【００４７】
親ＴＶに優先権がない場合、つまり、子ＴＶに優先権がある場合には、子ＴＶの視聴チャンネルの変更に伴って、親ＴＶの視聴チャンネルも変更されてしまうので、親ＴＶに、例えば”チャンネルが変更されました”というチャンネル変更メッセージを表示するとともに（ステップ１５）、子ＴＶに配信するチャンネルを子ＴＶから指示されたチャンネルに変更するための動作を行った後（ステップ１６）、ステップ１７に移行する。この場合には、子ＴＶに配信するチャンネルを変更することによって、親ＴＶの視聴チャンネルも変更される。
【００４８】
上記ステップ１１において、現在の親ＴＶの視聴チャンネルと子ＴＶからの指示チャンネルとが、異なるチューナで受信されるチャンネルであると判別された場合または同一チューナで受信されるチャンネル内の同一チャンネルであると判別された場合には、子ＴＶに配信するチャンネルを子ＴＶから指示されたチャンネルに変更するための動作を行った後（ステップ１２）、ステップ１７に移行する。
【００４９】
図４は、子ＴＶの制御部２０４による処理手順を示している。
子ＴＶの電源がＯＮされると（ステップ２１）、子ＴＶから親ＴＶに通信開始を通知する（ステップ２２）。親ＴＶからの応答があるか否かに基づいて、親ＴＶと通信が行える状態であるか否かを判別する（ステップ２３）。親ＴＶと通信が行えない状態である場合には、例えば”通信出来ません”といった通信不可メッセージを表示した後（ステップ２４）、子ＴＶに対する電源ＯＦＦ指令が入力されたか否かを判別する（ステップ２５）。子ＴＶに対する電源ＯＦＦ指令が入力されていない場合には、ステップ２２に戻る。子ＴＶに対する電源ＯＦＦ指令が入力された場合には、子ＴＶの電源をＯＦＦする（ステップ２６）。そして、今回の処理を終了する。
【００５０】
上記ステップ２３において、親ＴＶと通信が行える状態であると判別した場合には、子ＴＶのメモリチューナチャンネル（前回の電源ＯＦＦ直前に選局されていたチャンネルであって、前回の電源ＯＦＦ時に不揮発性メモリに格納されたチューナチャンネル）の配信要求を親ＴＶに送信する（ステップ２７）。そして、番組受信動作を開始する（ステップ２８）。したがって、親ＴＶから子ＴＶに番組が配信されてきた場合には、子ＴＶにその番組が提示されることになる。ただし、親ＴＶに配信要求したチャンネルと現在の親ＴＶの視聴チャンネルとが、同一チューナで受信されるチャンネル内の互い異なるチャンネルであって、親ＴＶに優先権がある場合には、そのチャンネルの番組は配信されず、親ＴＶからチャンネル変更不可通知が送られてくる。
【００５１】
そこで、配信要求を行った後、一定時間内にチャンネル変更不可通知を受信したか否かを判定する（ステップ２９）。配信要求を行った後、一定時間内にチャンネル変更不可通知を受信した場合には、前回の配信要求とは異なるチューナのチャンネルの配信要求を親ＴＶに送信する（ステップ３０）。そして、ステップ２９に戻る。
【００５２】
ステップ２９において、一定時間内にチャンネル変更不可通知が受信されなかった場合には、つまり、親ＴＶから番組が配信されて子ＴＶでその番組が提示されている場合には、親ＴＶからのチャンネル変更通知を受信したか否かを判別する（ステップ３１）。このチャンネル変更通知は、親ＴＶの視聴チャンネルが親ＴＶ側で変更されたことに伴って子ＴＶの視聴チャンネルが変更される場合に親ＴＶから送られてくるものである（図３のステップ７参照）。
【００５３】
親ＴＶからのチャンネル変更通知を受信した場合には、親ＴＶから配信されてくる番組（チャンネル）が変更せしめられるので、たとえば、”チャンネルが変更されました”といったチャンネル変更メッセージを表示した後（ステップ３２）、ステップ３３に移行する。この場合には、自動的に子ＴＶの視聴チャンネルが変更せしめられる。親ＴＶからのチャンネル変更通知を受信していない場合には、ステップ３３に移行する。
【００５４】
ステップ３３では、子ＴＶ側の操作キー２０５またはリモコン２０６の操作によって、子ＴＶのためのチャンネル変更要求が入力されたか否かを判別する。子ＴＶのためのチャンネル変更要求が入力されていない場合には、子ＴＶに対する電源ＯＦＦ指令が入力されたか否かを判別する（ステップ３７）。子ＴＶに対する電源ＯＦＦ指令が入力されていないときには、ステップ３１に戻る。ステップ３７において、子ＴＶに対する電源ＯＦＦ指令が入力されたと判別した場合には、子ＴＶの電源をＯＦＦする（ステップ３８）。そして、今回の処理を終了する。
【００５５】
上記ステップ３３において、子ＴＶのためのチャンネル変更要求が入力されたと判別した場合には、親ＴＶにチャンネル変更要求を送信する（ステップ３４）。親ＴＶにチャンネル変更要求したチャンネルと現在の親ＴＶの視聴チャンネルとが、異なるチューナで受信されるチャンネルであると判別された場合、同一チューナで受信されるチャンネル中の同一チャンネルであると判別された場合、または同一チューナで受信されるチャンネル中の異なるチューナであるが優先権が子ＴＶにある場合には、チャンネル変更要求によって指示したチャンネルの番組が親ＴＶから子ＴＶに配信されてくるので、子ＴＶの視聴チャンネルが変更されることになる。しかしながら、親ＴＶにチャンネル変更要求したチャンネルと現在の親ＴＶの視聴チャンネルとが、同一チューナで受信されるチャンネル内の互い異なるチャンネルであって、親ＴＶに優先権がある場合には、そのチャンネルの番組は配信されず、親ＴＶからチャンネル変更不可通知が送られてくる。
【００５６】
そこで、チャンネル変更要求を行った後、一定時間内にチャンネル変更不可通知を受信したか否かを判定する（ステップ３５）。チャンネル変更要求を行った後、一定時間内にチャンネル変更不可通知を受信した場合には、つまり、チャンネル変更要求が認められず、チャンネル変更要求前のチャンネルが視聴チャンネルとして維持されている場合には、たとえば、”親ＴＶに優先権があるためチャンネル変更できません”といったチャンネル変更不可メッセージを表示した後、ステップ３７に移行する。チャンネル変更要求を行った後、一定時間内にチャンネル変更不可通知を受信しなかった場合には、つまり、チャンネル変更要求が認められて、視聴チャンネルが変更された場合には、ステップ３７に移行する。
【００５７】
ステップ３７では、子ＴＶに対する電源ＯＦＦ指令が入力されたか否かを判別する（ステップ３７）。子ＴＶに対する電源ＯＦＦ指令が入力されていないときには、ステップ３１に戻る。
【００５８】
なお、この発明は、チューナが１つのみ存在する場合にも適用することができる。この場合には、そのチューナによって選局された１つのチャンネルに対応する番組が親テレビで放映されるとともに子テレビで放映されることになる。この場合には、親ＴＶの指定チャンネルと子ＴＶの指定チャンネルとが互いに異なるチャンネルである場合に、親ＴＶおよび子テレビのいずれの指定を優先させるかを示す優先権データが登録される。そして、親ＴＶの指定チャンネルと子ＴＶの指定チャンネルとが互いに異なるチャンネルである場合には、優先権があるＴＶ側の指定が優先される。
【００５９】
具体的には、図３のステップ５では、ステップ３の親ＴＶに対するチャンネル変更要求によって指定されたチャンネルと子ＴＶの視聴チャンネルとが、互いに異なるチャンネルであるか否かが判別される。また、図３のステップ１１では、現在の親ＴＶの視聴チャンネルと子ＴＶからの指示チャンネルとが、互いに異なるチャンネルであるか否かが判別される。
【図面の簡単な説明】
【００６０】
【図１】親ＴＶの構成を示すブロック図である。
【図２】子ＴＶの構成を示すブロック図である。
【図３】親ＴＶの制御部１２７による処理手順を示すフローチャートである。
【図４】子ＴＶの制御部２０４による処理手順を示すフローチャートである。
【符号の説明】
【００６１】
１０３、１０４、１０５  チューナ
１１０  マトリクススイッチ
１１６、１２２  切り換えスイッチ
１２７  制御部
１２４  通信制御部
１２５  無線部
１２６  アンテナ
１３１  メモリ
２０１  アンテナ
２０２  無線部
２０３  通信制御部
２０４  制御部
【図１】
2005136864.tif 000003
【図２】
2005136864.tif 000004
【図３】
2005136864.tif 000005
【図４】
2005136864.tif 000006